(57)【要約】【課題】嵩上げ誘電体層が形成されていないＰＤＰにおいて誤放電の発生を防止する。【解決手段】前面ガラス基板１０の背面側に形成された行電極対（Ｘ１，Ｙ１）が誘電体層１２によって被覆され、この誘電体層１２に嵩上げ誘電体層が形成されておらず、背面ガラス基板１３側に形成されて列電極保護層１４によって被覆された列電極Ｄ１の非表示空間Ｃ１１に対向している部分と行電極Ｙ１との間の位置に、誘電体層１２を形成する誘電材料の誘電率よりも小さい誘電率を有する誘電材料によって光吸収層１１が形成されている。【選択図】図２
2007157627.tif 000002
【特許請求の範囲】
【請求項１】
放電空間を介して第１基板と第２基板が対向され、第１基板側に、行方向に延び列方向に所要の間隔を開けて並設された複数の行電極対およびこの行電極対を被覆する第１誘電体層が形成され、第２基板側に、列方向に延び行方向に並設されて行電極対と交差する部分の放電空間に単位発光領域を形成するとともに行電極対の一方の行電極との間で放電を発生させる複数の列電極、および、この列電極を被覆する第２誘電体層が形成され、列方向に隣接する行電極対の間の間隔部分に対向する部分の放電空間に形成される非表示領域と単位発光領域とが列方向に隣接しているプラズマディスプレイパネルにおいて、
前記列電極の非表示領域に対向している部分と行電極対の少なくとも列電極との間で放電を発生させる一方の行電極との間の位置に、第１誘電体層または第２誘電体層を形成する誘電材料の誘電率よりも小さい誘電率を有する誘電材料によって第３誘電体層が形成されていることを特徴とするプラズマディスプレイパネル。
【請求項２】
前記第１誘電体層の単位発光領域に対向する面と非表示領域に対向する面が、ほぼ同一の平面を形成している請求項１に記載のプラズマディスプレイパネル。
【請求項３】
前記第３誘電体層が、第１基板の列方向に隣接する行電極対の間の非表示領域に対向する位置に形成されている請求項１に記載のプラズマディスプレイパネル。
【請求項４】
前記第３誘電体層が、パネルの表示面を形成する第１基板の背面側に形成された光吸収層である請求項３に記載のプラズマディスプレイパネル。
【請求項５】
前記行電極対を構成する行電極が、それぞれ、行方向に延びるバス電極と、このバス電極から対になっている他方の行電極側に延びて互いに放電ギャップを介して対向される透明電極とから構成され、
前記第３誘電体層が、列方向に隣接する行電極対の間の間隔部分とバス電極の少なくとも一部を被覆する位置に形成されている請求項３に記載のプラズマディスプレイパネル。
【請求項６】
前記第２誘電体層が第２基板上の単位発光領域に対向する部分に形成され、第３誘電体層が第２基板上の非表示領域に対向する部分に形成されて、列電極の単位発光領域に対向する部分が第２誘電体層によって被覆され、列電極の非表示領域に対向する部分が第３誘電体層によって被覆されている請求項１に記載のプラズマディスプレイパネル。
【請求項７】
前記第２誘電体層上の非表示領域に対向する部分に第３誘電体層が形成されている請求項１に記載のプラズマディスプレイパネル。
【発明の詳細な説明】
【技術分野】
【０００１】
この発明は、プラズマディスプレイパネルの構成に関する。
【背景技術】
【０００２】
図１は、従来のプラズマディスプレイパネル（ＰＤＰ）の構成を示す断面図である。
【０００３】
この従来のＰＤＰは、表示面である前面ガラス基板１の背面に、複数の行電極対（Ｘ，Ｙ）が、前面ガラス基板１の行方向（図１において紙面に垂直な方向）に延びるように平行に並設されている。
【０００４】
そして、各行電極Ｘ，Ｙは、それぞれ、列方向に互いに所要の間隔を開けて行方向に平行に延びるバス電極Ｘａ，Ｙａと、このバス電極Ｘａ，Ｙａに沿って等間隔に配列されるとともに互いに放電ギャップｇを介して対向される複数の透明電極Ｘｂ，Ｙｂとによって構成されている。
【０００５】
前面ガラス基板１の背面には、さらに、行電極対（Ｘ，Ｙ）を被覆する誘電体層２が形成されており、この誘電体層２の背面には、互いに隣接する行電極対（Ｘ，Ｙ）の背中合わせに位置するバス電極Ｘａ，Ｙａとこの間の領域に対向する位置に、誘電体層２の背面から突出する嵩上げ誘電体層３が行方向に延びるように形成されている。
【０００６】
この誘電体層２と嵩上げ誘電体層３の背面側には、ＭｇＯからなる保護層４が形成されている。
【０００７】
一方、前面ガラス基板１と平行に対向される背面ガラス基板５の表示側の面上には、列電極Ｄが、各行電極対（Ｘ，Ｙ）の互いに対になった透明電極ＸｂとＹｂに対向する位置において行電極対（Ｘ，Ｙ）と直交する方向（図１において左右方向）に延びるとともに行方向に所定の間隔を開けて並設されている。
【０００８】
背面ガラス基板５の前面ガラス基板１に対向する表示側の面上には、さらに、列電極Ｄを被覆する列電極保護層６が形成され、この列電極保護層６上に、隔壁７が形成されている。
【０００９】
この隔壁７は、嵩上げ誘電体層３に対向する位置において行方向に延びる横壁部７Ａと各列電極Ｄの間に対向する位置において列方向に延びる縦壁部（図示せず）とによって略梯子形状に成形されており、この隔壁７によって、前面ガラス基板１と背面ガラス基板５の間の放電空間が、各行電極対（Ｘ，Ｙ）において対になっている透明電極ＸｂとＹｂに対向する部分毎に区画されて、それぞれ方形の放電セルＣ１が形成されている。
【００１０】
また、列方向に隣接する放電セルＣ１間には、互いに背中合わせに位置する横壁部７Ａによって挟まれた非表示空間Ｃ２が形成されている。
【００１１】
各放電セルＣ１内には、放電セルＣ毎に色分けされた赤，緑，青の蛍光体層８がそれぞれ形成され、さらに、放電空間内には、キセノンを含む放電ガスが封入されている。
【００１２】
上記ＰＤＰは、行電極Ｙの透明電極Ｙｂと列電極Ｄとの間において選択的にアドレス放電が発生され、次に、このアドレス放電によって放電セルＣ１に対向する部分の誘電体層２に壁電荷が形成されている放電セル（発光セル）Ｃ１内において、行電極対（Ｘ，Ｙ）の透明電極ＸｂとＹｂ間でサステイン放電が発生され、このサステイン放電によって放電ガス中のキセノン・ガスから発生する真空紫外線により赤，緑，青の蛍光体層８が励起されて、それぞれ赤，緑，青の各色の可視光を発生させることにより、パネル面に映像信号に対応した画像を形成する。
【００１３】
上記のようなＰＤＰの駆動時において、行電極Ｙの透明電極Ｙｂと列電極Ｄとの間においてアドレス放電ｄが発生される際に、行電極Ｙに印加されるスキャン・パルスと列電極Ｄに印加されるデータ・パルスとによって、非表示空間Ｃ２内においても行電極Ｙと列電極Ｄ間（破線ｓによって示される部分）に電位差が発生する。
【００１４】
しかしながら、誘電体層２の非表示空間Ｃ２に対向する部分に嵩上げ誘電体層３が形成されていて、この嵩上げ誘電体層３の分だけ非表示空間Ｃ２に対向される誘電体層の厚さが厚くなっているので、非表示空間Ｃ２内における放電開始電圧は放電セルＣ１内におけるよりも高くなって、この非表示空間Ｃ２内では放電は発生しない。
【００１５】
この従来のＰＤＰにおいて、嵩上げ誘電体層３は、放電セルＣ１内においてサステイン放電が発生される際に、その放電が列方向に隣接する他の放電セルに拡がってゆくのを防止するためのものであるが、近年、ＰＤＰ製造時の工程数を減らすため等の理由により、サステイン放電の他の放電セルへの拡がりは他の方法によって防止するようにすることにより、この嵩上げ誘電体層を形成しない構成のＰＤＰの開発が要望されている。
【００１６】
この場合、上述したような列方向に隣接する放電セル間の非表示空間において、アドレス放電時に誤放電が発生するという問題が生じてくる。
【発明の開示】
【発明が解決しようとする課題】
【００１７】
この発明は、上記のような従来のＰＤＰにおいて発生してくる問題点を解決することをその技術的課題の一つとしている。
【課題を解決するための手段】
【００１８】
この発明（請求項１に記載の発明）によるＰＤＰは、上記目的を達成するために、放電空間を介して第１基板と第２基板が対向され、第１基板側に、行方向に延び列方向に所要の間隔を開けて並設された複数の行電極対およびこの行電極対を被覆する第１誘電体層が形成され、第２基板側に、列方向に延び行方向に並設されて行電極対と交差する部分の放電空間に単位発光領域を形成するとともに行電極対の一方の行電極との間で放電を発生させる複数の列電極、および、この列電極を被覆する第２誘電体層が形成され、列方向に隣接する行電極対の間の間隔部分に対向する部分の放電空間に形成される非表示領域と単位発光領域とが列方向に隣接しているプラズマディスプレイパネルにおいて、前記列電極の非表示領域に対向している部分と行電極対の少なくとも列電極との間で放電を発生させる一方の行電極との間の位置に、第１誘電体層または第２誘電体層を形成する誘電材料の誘電率よりも小さい誘電率を有する誘電材料によって第３誘電体層が形成されていることを特徴としている。
【発明を実施するための最良の形態】
【００１９】
この発明は、第１基板の背面側に形成された行電極対が第１誘電体層によって被覆され、この第１誘電体層に嵩上げ誘電体層が形成されておらず、第２基板側に形成されて第２誘電体層によって被覆された列電極の非表示領域に対向している部分と行電極対の少なくとも列電極との間で放電を発生させる一方の行電極との間の位置に、第１誘電体層または第２誘電体層を形成する誘電材料の誘電率よりも小さい誘電率を有する誘電材料によって第３誘電体層が形成されているＰＤＰをその最良の実施形態としている。
【００２０】
この実施形態におけるＰＤＰは、ＰＤＰの駆動時の単位発光領域内においてアドレス放電を発生させるために行電極対の一方の行電極と列電極に電圧が印加されて、単位発光領域に隣接する非表示領域内において一方の行電極と非表示領域に対向している部分の列電極との間に電位差が生じる場合に、この一方の行電極と列電極の間に、第１誘電体層または第２誘電体層を形成する誘電材料の誘電率よりも小さい誘電率を有する誘電材料によって形成された第３誘電体層が介在されていることによって、第１誘電体層の背面側の非表示領域に対向する部分に嵩上げ誘電体層が形成されていない場合でも、非表示領域における行電極と列電極間の放電開始電圧のが単位発光領域内における放電開始電圧よりも高くなって、アドレス放電時に、非表示領域内において行電極と列電極との間で放電が発生するのを防止することが出来る。
【００２１】
上記ＰＤＰにおいて、第３誘電体層を、第１基板の列方向に隣接する行電極対の間の非表示領域に対向する位置に形成するのが好ましい。
【００２２】
これによって、アドレス放電時に非表示領域内において行電極と列電極との間で放電が発生するのが防止される。
【００２３】
さらに、パネルの表示面を形成する第１基板の背面側に光吸収層を第３誘電体層として形成するようにするのが好ましい。
【００２４】
これによって、アドレス放電時に、非表示領域内において行電極と列電極との間で放電が発生するのが防止されるとともに、パネルの非表示領域部分に入射してくる外光の反射を防止することが出来る。
【００２５】
さらに、第１基板側において、第３誘電体層を、列方向に隣接する行電極対の間の間隔部分と行電極を構成するバス電極の少なくとも一部を被覆する位置に形成するようにするのが好ましい。
【００２６】
これによって、アドレス放電時に、非表示領域内において行電極と列電極との間で放電が発生するのがより完全に防止される。
【００２７】
第３誘電体層を第２基板上の非表示領域に対向する部分に形成して、列電極の単位発光領域に対向する部分を第２誘電体層によって被覆し、列電極の非表示領域に対向する部分を第３誘電体層によって被覆するようにしても良い。
【００２８】
この列電極の非表示領域に対向する部分を被覆する第３誘電体層によって、第１誘電体層の背面側の非表示領域に対向する部分に嵩上げ誘電体層が形成されていない場合でも、非表示領域における行電極と列電極間の放電開始電圧が単位発光領域内における放電開始電圧よりも高くなって、アドレス放電時に、非表示領域内において行電極と列電極との間で放電が発生するのを防止することが出来る。
【００２９】
第３誘電体層は、第２誘電体層上の非表示領域に対向する部分に形成するようにしても良い。
【００３０】
この場合も、同様に、アドレス放電時に、非表示領域内において行電極と列電極との間で放電が発生するのが防止される。
【実施例１】
【００３１】
図２は、この発明によるＰＤＰの実施形態における第１の実施例を示す断面図である。
【００３２】
この図２において、ＰＤＰの表示面を構成する前面ガラス基板１０の背面に、行方向（図２において紙面に垂直方向）に延びるとともに列方向（図２において左右方向）に並設された行電極対（Ｘ１，Ｙ１）が形成されている。
【００３３】
この行電極対（Ｘ１，Ｙ１）を構成する行電極Ｘ１とＹ１は、それぞれ、行方向に帯状に延びるバス電極Ｘ１ａ，Ｙ１ａと、このバス電極Ｘ１ａ，Ｙ１ａに沿って等間隔に配列されてそれぞれバス電極Ｘ１ａ，Ｙ１ａから対になっている他方の行電極側に延びて互いに放電ギャップｇ１を介して対向される透明電極Ｘ１ｂ，Ｙ１ｂとから構成されている。
【００３４】
前面ガラス基板１０の背面には、さらに、列方向に隣接する行電極対（Ｘ１，Ｙ１）の互いに背中合わせに位置する行電極Ｘ１とＹ１の間の部分、および、この行電極Ｘ１，Ｙ１のそれぞれのバス電極Ｘ１ａ，Ｙ１ａ上に被さる部分に、行方向に帯状に延びる黒色または暗褐色の光吸収層１１が、それぞれ形成されている。
【００３５】
この光吸収層１１については、後でさらに詳述する。
【００３６】
そして、前面ガラス基板１０の背面側に誘電体層１２が形成されていて、この誘電体層１２によって、行電極対（Ｘ１，Ｙ１）および光吸収層１１が被覆されており、この誘電体層１２は図示しない保護層によって被覆されている。
【００３７】
一方、前面ガラス基板１０と放電空間を介して対向する背面ガラス基板１３の前面ガラス基板１０に対向する表示側の面上には、アドレス電極Ｄ１が、各行電極対（Ｘ１，Ｙ１）の互いに対になっている透明電極Ｘ１ｂおよびＹ１ｂに対向する位置において行電極対（Ｘ１，Ｙ１）と直交する列方向に延びるとともに、行方向に互いに所定の間隔を開けて平行に並設されている。
【００３８】
この背面ガラス基板１３の表示側の面上には、さらに、アドレス電極Ｄ１を被覆する列電極保護層（誘電体層）１４が形成されている。
【００３９】
この列電極保護層１４上には、それぞれバス電極Ｘ１ａ，Ｙ１ａに対向する位置において行方向に延びるとともに列方向に並設された横壁部１５Ａと、列方向に並設された各アドレス電極Ｄ１の中間位置に対向する位置において列方向に延びるとともに行方向に並設された縦壁部（図示せず）とによってそれぞれ略格子形状に成形された隔壁１５が形成されており、この隔壁１５によって、放電空間が、各行電極対（Ｘ１，Ｙ１）の放電ギャップｇ１を介して対向される透明電極Ｘ１ｂ，Ｙ１ｂに対向する部分毎にマトリクス状に区画されて、それぞれ放電セルＣ１０が形成されている。
【００４０】
そして、列方向に隣接する放電セルＣ１０間において、光吸収層１１に対向する位置には、互いに背中合わせに位置する横壁部１５Ａによって挟まれた非表示空間Ｃ１１が形成されている。
【００４１】
各放電セルＣ１０内には、列電極保護層１４の表面の隔壁１５に囲まれた部分および隔壁１５の横壁部１５Ａと縦壁部の側面の五つの面に、それぞれ赤，緑，青に色分けされた蛍光体層１６が、赤，緑，青の順に行方向に並ぶように形成されている。
【００４２】
この前面ガラス基板１０と背面ガラス基板１３の間の放電空間内には、１０体積パーセント以上のキセノン・ガスを含む放電ガスが封入されている。
【００４３】
このＰＤＰは、誘電体層１２の背面側に、従来の嵩上げ誘電体層に相当する誘電体層は形成されておらず、誘電体層１２の背面が背面ガラス基板１３と平行な平面に成形されている。
【００４４】
光吸収層１１は、前面ガラス基板１０側から見て非表示空間Ｃ１１の開口部の全面をカバーしていて、列電極Ｄ１の非表示空間Ｃ１１に対向する部分と行電極Ｘ１，Ｙ１との間にこの光吸収層１１が介在される配置になっている。
【００４５】
そして、この光吸収層１１は、誘電体層１２を形成している誘電材料の誘電率εよりも誘電率の低い材料、例えば誘電率εが１０未満の黒色または暗褐色の誘電材料によって形成されている。
【００４６】
上記ＰＤＰは、行電極Ｙ１の透明電極Ｙ１ｂと列電極Ｄ１との間において選択的にアドレス放電が発生され、次に、このアドレス放電によって放電セルＣ１０に対向する部分の誘電体層１２に壁電荷が形成されている放電セル（発光セル）Ｃ１０内において、行電極対（Ｘ１，Ｙ１）の透明電極Ｘ１ｂとＹ１ｂ間でサステイン放電が発生される。
【００４７】
そして、このサステイン放電によって放電ガス中のキセノン・ガスから発生する真空紫外線が赤，緑，青の蛍光体層１６を励起して、それぞれ赤，緑，青の各色の可視光を発生させることにより、パネル面に映像信号に対応した画像を形成する。
【００４８】
上記のようなＰＤＰの駆動時において、行電極Ｙ１の透明電極Ｙ１ｂと列電極Ｄ１との間においてアドレス放電ｄ１０が発生される際に、行電極Ｙ１に印加されるスキャン・パルスと列電極Ｄ１に印加されるデータ・パルスとによって、非表示空間Ｃ１１内においても、行電極Ｙ１（主としてバス電極Ｙ１ａ）と非表示空間Ｃ１１に対向している部分の列電極Ｄ１との間（破線ｓ１０によって示される部分）に電位差が発生する。
【００４９】
しかしながら、この行電極Ｙ１（主としてバス電極Ｙ１ａ）と非表示空間Ｃ１１に対向している部分の列電極Ｄ１との間に介在される光吸収層１１を形成する誘電材料の誘電率εが、誘電体層１２を形成する誘電材料の誘電率よりも小さく、さらに、この部分の光吸収層１１と誘電体層１２の合計の厚さは、放電セルＣ１０に対向する部分において透明電極Ｙ１ｂを被覆している誘電体層１２の厚さと同じであるために、行電極Ｙ１（主としてバス電極Ｙ１ａ）と非表示空間Ｃ１１に対向している部分の列電極Ｄ１との間における誘電率は、透明電極Ｙ１ｂと放電セルＣ１０に対向している部分の列電極Ｄ１との間における誘電率よりも低くなる。
【００５０】
このため、行電極Ｙ１（主としてバス電極Ｙ１ａ）と非表示空間Ｃ１１に対向している部分の列電極Ｄ１との間における放電開始電圧が、透明電極Ｙ１ｂと放電セルＣ１０に対向している部分の列電極Ｄ１との間における放電開始電圧よりも高くなる。
【００５１】
したがって、放電セルＣ１内においてアドレス放電が発生される際に、このアドレス放電の放電開始電圧よりも放電開始電圧が高く設定されている非表示空間Ｃ１１内において、行電極Ｙ１（主としてバス電極Ｙ１ａ）と非表示空間Ｃ１１に対向している部分の列電極Ｄ１との間で放電が発生するのが防止される。
【００５２】
なお、従来の嵩上げ誘電体層の形成を止めたことによる非表示空間内での誤放電の発生を防止する方法としては、隔壁の高さを高くしたり、または、太くしたりする方法等が考えられるが、この方法だと、ＰＤＰの構造設計の自由度が低下してしまうことになる。
【００５３】
これに対し、上記ＰＤＰの構成によれば、嵩上げ誘電体層が形成されていない場合でも、非表示空間Ｃ１１内において誤放電が発生するのを防止することが出来るとともに、ＰＤＰの構造設計の自由度を低下させることもない。
【実施例２】
【００５４】
図３は、この発明によるＰＤＰの実施形態における第２の実施例を示す断面図である。
【００５５】
なお、以下において、前述した第１実施例のＰＤＰと同一の構成部分については、図２と同一の符号を付して説明を行う。
【００５６】
図３において、ＰＤＰの表示面を構成する前面ガラス基板１０の背面に、行方向（図３において紙面に垂直方向）に延びるとともに列方向（図３において左右方向）に並設された行電極対（Ｘ１，Ｙ１）が形成され、この行電極対（Ｘ１，Ｙ１）を構成する行電極Ｘ１とＹ１は、それぞれ、行方向に帯状に延びるバス電極Ｘ１ａ，Ｙ１ａと、このバス電極Ｘ１ａ，Ｙ１ａに沿って等間隔に配列されてそれぞれバス電極Ｘ１ａ，Ｙ１ａから対になっている他方の行電極側に延びて互いに放電ギャップｇ１を介して対向される透明電極Ｘ１ｂ，Ｙ１ｂとから構成されている。
【００５７】
そして、前面ガラス基板１０の背面側に誘電体層２２が形成されていて、この誘電体層２２によって、行電極対（Ｘ１，Ｙ１）が被覆されており、この誘電体層２２は図示しない保護層によって被覆されている。
【００５８】
一方、前面ガラス基板１０と放電空間を介して対向する背面ガラス基板１３の前面ガラス基板１０に対向する表示側の面上には、アドレス電極Ｄ１が、各行電極対（Ｘ１，Ｙ１）の互いに対になっている透明電極Ｘ１ｂおよびＹ１ｂに対向する位置において行電極対（Ｘ１，Ｙ１）と直交する列方向に延びるとともに、行方向に互いに所定の間隔を開けて平行に並設されている。
【００５９】
この背面ガラス基板１３の表示側の面上には、さらに、列方向に隣接する行電極対（Ｘ１，Ｙ１）の間の部分に対向する位置において行方向に帯状に延びる第１列電極保護層（誘電体層）２４Ａと、これ以外の部分において行電極対（Ｘ１，Ｙ１）に対向する第２列電極保護層（誘電体層）２４Ｂとが形成されて、この第１列電極保護層２４Ａと第２列電極保護層２４Ｂとによって、背面ガラス基板１３の表示側の面およびアドレス電極Ｄ１が被覆されている。
【００６０】
第１列電極保護層２４Ａは、第２列電極保護層２４Ｂを形成している誘電材料の誘電率εよりも誘電率の低い材料、例えば誘電率εが１０未満の誘電材料によって形成されている。
【００６１】
第２列電極保護層２４Ｂ上には、それぞれバス電極Ｘ１ａ，Ｙ１ａに対向する位置において行方向に延びるとともに列方向に並設された横壁部１５Ａと、列方向に並設された各アドレス電極Ｄ１の中間位置に対向する位置において列方向に延びるとともに行方向に並設された縦壁部（図示せず）とによってそれぞれ略格子形状に成形された隔壁１５が形成されており、この隔壁１５によって、放電空間が、各行電極対（Ｘ１，Ｙ１）の放電ギャップｇ１を介して対向される透明電極Ｘ１ｂ，Ｙ１ｂに対向する部分毎にマトリクス状に区画されて、それぞれ放電セルＣ１０が形成されている。
【００６２】
そして、列方向に隣接する放電セルＣ１０間において、列方向に隣接する行電極対（Ｘ１，Ｙ１）間の間隔部分に対向する位置には、互いに背中合わせに位置する横壁部１５Ａによって挟まれた非表示空間Ｃ１１が形成されており、第１列電極保護層２４Ａは、列電極Ｄ１の非表示空間Ｃ１１に対向している全部分を被覆している。
【００６３】
各放電セルＣ１０内には、第２列電極保護層（誘電体層）２４Ｂの表面の隔壁１５に囲まれた部分および隔壁１５の横壁部１５Ａと縦壁部の側面の五つの面に、それぞれ赤，緑，青に色分けされた蛍光体層１６が、赤，緑，青の順に行方向に並ぶように形成されている。
【００６４】
この前面ガラス基板１０と背面ガラス基板１３の間の放電空間内には、１０体積パーセント以上のキセノン・ガスを含む放電ガスが封入されている。
【００６５】
このＰＤＰは、誘電体層２２の背面側に従来の嵩上げ誘電体層に相当する誘電体層は形成されておらず、誘電体層２２の背面が背面ガラス基板１３と平行な平面に形成されている。
【００６６】
上記ＰＤＰの画像形成時の駆動は、前述した第１実施例のＰＤＰと同様である。
【００６７】
そして、このＰＤＰの駆動時において、行電極Ｙ１の透明電極Ｙ１ｂと列電極Ｄ１との間においてアドレス放電ｄ１０が発生される際に、行電極Ｙ１に印加されるスキャン・パルスと列電極Ｄ１に印加されるデータ・パルスとによって、非表示空間Ｃ１１内においても、行電極Ｙ１（主としてバス電極Ｙ１ａ）と非表示空間Ｃ１１に対向している部分の列電極Ｄ１との間（破線ｓ２０によって示される部分）に電位差が発生する。
【００６８】
しかしながら、この行電極Ｙ１（主としてバス電極Ｙ１ａ）と非表示空間Ｃ１１に対向している部分の列電極Ｄ１との間に介在される第１列電極保護層２４Ａの誘電率εが、第２列電極保護層２４Ｂを形成する誘電材料の誘電率よりも小さい（例えば、１０未満）誘電材料によって形成されていることによって、行電極Ｙ１（主としてバス電極Ｙ１ａ）と非表示空間Ｃ１１に対向している部分の列電極Ｄ１との間における放電開始電圧が、透明電極Ｙ１ｂと放電セルＣ１０に対向している部分の列電極Ｄ１との間における放電開始電圧よりも高くなる。
【００６９】
したがって、放電セルＣ１内においてアドレス放電が発生される際に、このアドレス放電の放電開始電圧よりも放電開始電圧が高く設定されている非表示空間Ｃ１１内において、行電極Ｙ１（主としてバス電極Ｙ１ａ）と非表示空間Ｃ１１に対向している部分の列電極Ｄ１との間で放電が発生するのが防止される。
【００７０】
以上のように、上記ＰＤＰの構成によれば、嵩上げ誘電体層が形成されていない場合でも、非表示空間Ｃ１１内において放電が発生するのを防止することが出来るとともに、第１実施例の場合と同様に、ＰＤＰの構造設計の自由度を低下させることもない。
【実施例３】
【００７１】
図４は、この発明によるＰＤＰの実施形態における第３の実施例を示す断面図である。
【００７２】
なお、以下において、前述した第１および第２実施例のＰＤＰと同一の構成部分については、図２および３と同一の符号を付して説明を行う。
【００７３】
図４において、ＰＤＰの表示面を構成する前面ガラス基板１０の背面に、行方向（図４において紙面に垂直方向）に延びるとともに列方向（図４において左右方向）に並設された行電極対（Ｘ１，Ｙ１）が形成され、この行電極対（Ｘ１，Ｙ１）を構成する行電極Ｘ１とＹ１は、それぞれ、行方向に帯状に延びるバス電極Ｘ１ａ，Ｙ１ａと、このバス電極Ｘ１ａ，Ｙ１ａに沿って等間隔に配列されてそれぞれバス電極Ｘ１ａ，Ｙ１ａから対になっている他方の行電極側に延びて互いに放電ギャップｇ１を介して対向される透明電極Ｘ１ｂ，Ｙ１ｂとから構成されている。
【００７４】
そして、前面ガラス基板１０の背面側に誘電体層２２が形成されていて、この誘電体層２２によって、行電極対（Ｘ１，Ｙ１）が被覆されており、この誘電体層２２は図示しない保護層によって被覆されている。
【００７５】
一方、前面ガラス基板１０と放電空間を介して対向する背面ガラス基板１３の前面ガラス基板１０に対向する表示側の面上には、アドレス電極Ｄ１が、各行電極対（Ｘ１，Ｙ１）の互いに対になっている透明電極Ｘ１ｂおよびＹ１ｂに対向する位置において行電極対（Ｘ１，Ｙ１）と直交する列方向に延びるとともに、行方向に互いに所定の間隔を開けて平行に並設されている。
【００７６】
この背面ガラス基板１３の表示側の面上には、さらに、列電極保護層１４が形成されて、この列電極保護層１４によって、背面ガラス基板１３の表示側の面およびアドレス電極Ｄ１が被覆されている。
【００７７】
この列電極保護層１４上には、それぞれバス電極Ｘ１ａ，Ｙ１ａに対向する位置において行方向に延びるとともに列方向に並設された横壁部１５Ａと、列方向に並設された各アドレス電極Ｄ１の中間位置に対向する位置において列方向に延びるとともに行方向に並設された縦壁部（図示せず）とによってそれぞれ略格子形状に成形された隔壁１５が形成されており、この隔壁１５によって、放電空間が、各行電極対（Ｘ１，Ｙ１）の放電ギャップｇ１を介して対向される透明電極Ｘ１ｂ，Ｙ１ｂに対向する部分毎にマトリクス状に区画されて、それぞれ放電セルＣ１０が形成されている。
【００７８】
そして、列方向に隣接する放電セルＣ１０間において、列方向に隣接する行電極対（Ｘ１，Ｙ１）間の間隔部分に対向する位置には、互いに背中合わせに位置する横壁部１５Ａによって挟まれた非表示空間Ｃ１１が形成されている。
【００７９】
各放電セルＣ１０内には、列電極保護層１４の表面の隔壁１５に囲まれた部分および隔壁１５の横壁部１５Ａと縦壁部の側面の五つの面に、それぞれ赤，緑，青に色分けされた蛍光体層１６が、赤，緑，青の順に行方向に並ぶように形成されている。
【００８０】
非表示空間Ｃ１１内には、列電極保護層１４の背中合わせに位置する横壁部１５Ａの間に位置する部分およびこの横壁部１５Ａの側面を覆うように、低誘電体層３０が形成されている。
【００８１】
この低誘電体層３０は、列電極保護層１４を形成している誘電材料の誘電率εよりも誘電率の低い材料、例えば誘電率εが１０未満の低誘電材料によって形成されている。
【００８２】
この前面ガラス基板１０と背面ガラス基板１３の間の放電空間内には、１０体積パーセント以上のキセノン・ガスを含む放電ガスが封入されている。
【００８３】
このＰＤＰは、誘電体層２２の背面側に従来の嵩上げ誘電体層に相当する誘電体層は形成されておらず、誘電体層２２の背面が背面ガラス基板１３と平行な平面に形成されている。
【００８４】
上記ＰＤＰの画像形成時の駆動は、前述した第１実施例のＰＤＰと同様である。
【００８５】
そして、このＰＤＰの駆動時において、行電極Ｙ１の透明電極Ｙ１ｂと列電極Ｄ１との間においてアドレス放電ｄ１０が発生される際に、行電極Ｙ１に印加されるスキャン・パルスと列電極Ｄ１に印加されるデータ・パルスとによって、非表示空間Ｃ１１内においても、行電極Ｙ１（主としてバス電極Ｙ１ａ）と非表示空間Ｃ１１に対向している部分の列電極Ｄ１との間（破線ｓ３０によって示される部分）に電位差が発生する。
【００８６】
しかしながら、この行電極Ｙ１（主としてバス電極Ｙ１ａ）と非表示空間Ｃ１１に対向している部分の列電極Ｄ１との間に介在される低誘電体層３０の誘電率εが、列電極保護層１４を形成する誘電材料の誘電率よりも小さい（例えば、１０未満）誘電材料によって形成されていることによって、行電極Ｙ１（主としてバス電極Ｙ１ａ）と非表示空間Ｃ１１に対向している部分の列電極Ｄ１との間における放電開始電圧が、透明電極Ｙ１ｂと放電セルＣ１０に対向している部分の列電極Ｄ１との間における放電開始電圧よりも高くなる。
【００８７】
したがって、放電セルＣ１内においてアドレス放電が発生される際に、このアドレス放電の放電開始電圧よりも放電開始電圧が高く設定されている非表示空間Ｃ１１内において、行電極Ｙ１（主としてバス電極Ｙ１ａ）と非表示空間Ｃ１１に対向している部分の列電極Ｄ１との間で放電が発生するのが防止される。
【００８８】
以上のように、上記ＰＤＰの構成によれば、嵩上げ誘電体層が形成されていない場合でも、非表示空間Ｃ１１内において誤放電が発生するのを防止することが出来るとともに、第１実施例の場合と同様に、ＰＤＰの構造設計の自由度を低下させることもない。
【００８９】
上記各実施例のＰＤＰは、第１基板の背面側に形成された行電極対が第１誘電体層によって被覆され、この第１誘電体層に嵩上げ誘電体層が形成されておらず、第２基板側に形成されて第２誘電体層によって被覆された列電極の非表示領域に対向している部分と行電極対の少なくとも列電極との間で放電を発生させる一方の行電極との間の位置に、第１誘電体層または第２誘電体層を形成する誘電材料の誘電率よりも小さい誘電率を有する誘電材料によって第３誘電体層が形成されているＰＤＰを、その上位概念の実施例としている。
【００９０】
この上位概念を構成するＰＤＰは、ＰＤＰの駆動時の単位発光領域内においてアドレス放電を発生させるために行電極対の一方の行電極と列電極に電圧が印加されて、単位発光領域に隣接する非表示領域内において一方の行電極と非表示領域に対向している部分の列電極との間に電位差が生じる場合に、この一方の行電極と列電極の間に、第１誘電体層または第２誘電体層を形成する誘電材料の誘電率よりも小さい誘電率を有する誘電材料によって第３誘電体層が形成されていることによって、第１誘電体層の背面側の非表示領域に対向する部分に嵩上げ誘電体層が形成されていない場合でも、単位発光領域内における行電極と列電極間の放電開始電圧よりも非表示領域における行電極と列電極間の放電開始電圧のほうが高くなって、アドレス放電時に非表示領域内において行電極と列電極との間で放電が発生するのを防止することが出来る。
【図面の簡単な説明】
【００９１】
【図１】従来にＰＤＰを示す断面図である。
【図２】この発明によるＰＤＰの第１の実施例を示す断面図である。
【図３】この発明によるＰＤＰの第２の実施例を示す断面図である。
【図４】この発明によるＰＤＰの第３の実施例を示す断面図である。
【符号の説明】
【００９２】
１０            …前面ガラス基板（第１基板）
１１            …光吸収層（第３誘電体層）
１２，２２      …誘電体層（第１誘電体層）
１３            …背面ガラス基板（第２基板）
１４            …列電極保護層（第２誘電体層）
２４Ａ          …第１列電極保護層（第３誘電体層）
２４Ｂ          …第２列電極保護層（第２誘電体層）
３０            …低誘電体層（第３誘電体層）
Ｃ１０          …放電セル（単位発光領域）
Ｃ１１          …非表示空間（非表示領域）
Ｘ１，Ｙ１      …行電極
Ｘ１ａ，Ｙ１ａ  …バス電極
Ｘ１ｂ，Ｙ１ｂ  …透明電極
【図１】
2007157627.tif 000003
【図２】
2007157627.tif 000004
【図３】
2007157627.tif 000005
【図４】
2007157627.tif 000006